(57)【要約】      （修正有）【課題】尿、糞便、下腿潰瘍滲出液、褥瘡潰瘍、血液及び汗からの臭い、哺乳動物からの臭いを減じ、及び／又は除去する消臭組成物の提供。【解決手段】哺乳動物からの臭いを減じるために、それ自体が無臭であるペンタン−１，５−ジオールを含む組成を規定することである、このペンタン−１，５−ジオールは、毒性及び生態毒性が低いことが既に証明されていることからも有利であり、十分な溶解度と抗臭効果を有している。【選択図】なし【特許請求の範囲】
【請求項１】
尿、月経、糞便、下腿潰瘍滲出液、褥瘡潰瘍、血液および汗（perspiration）からの臭いのような哺乳動物からの臭いを減じ、及び／または除去するためのペンタン-1,5-ジオールを含む組成の使用。
【請求項２】
少なくとも他の1種のジオールを含む組成であり、前記の少なくとも１のジオールは、(CH2)nH2O2（nはCH2の数を表わす。）の一般構造を持つ組成である、請求項１記載の使用。
【請求項３】
nが3、4、5、6、7、8、9あるいは10のような、3〜10である、請求項2に記載の使用。
【請求項４】
前記ジオールの水酸基が、異なる炭素原子に結合されている、請求項２〜３のいずれかに記載の使用。
【請求項５】
前記ジオールが、プロパン-1,2-ジオール、プロパン-1,3-ジオール、ブタン-1,2-ジオール、ブタン-1,3-ジオール、ブタン-1,4-ジオール、2-メチルプロパン-1,2-ジオール、2-メチルプロパン-1,3-ジオール、ペンタン-1,2-ジオール、ペンタン-1,3-ジオール、ペンタン-1,4-ジオール、ペンタン-2,3-ジオール、ペンタン-2,4-ジオール、2-メチル-ペンタン-2,4-ジオール、ヘキサン-1,2-ジオール、ヘキサン-1,3-ジオール、ヘキサン-1,4-ジオール、ヘキサン-1,5-ジオール、ヘキサン-1,6-ジオール、ヘキサン-2,3-ジオール、ヘキサン-2,4-ジオール、ヘキサン-2,5-ジオール、ヘキサン-3,4-ジオール、ヘプタン-1,2-ジオール、ヘプタン-1,3-ジオール、ヘプタン-1,4-ジオール、ヘプタン-1,5-ジオール、ヘプタン-1,6-ジオール、ヘプタン-1,7-ジオール、ヘプタン-2,3-ジオール、ヘプタン-2,4-ジオール、ヘプタン-2,5-ジオール、ヘプタン-2,6-ジオール、ヘプタン-3,4-ジオール、ヘプタン-3,5-ジオール、オクタン-1,2-ジオール、オクタン-1,3-ジオール、オクタン-1,4-ジオール、オクタン-1,5-ジオール、オクタン-1,6-ジオール、オクタン-1,7-ジオール、オクタン-1,8-ジオール、オクタン-2,3-ジオール、オクタン-2,4-ジオール、オクタン-2,5-ジオール、オクタン-2,6-ジオール、オクタン-2,7-ジオール、オクタン-3,4-ジオール、オクタン-3,5-ジオール、オクタン-3,6-ジオール及びオクタン-4,5-ジオールからなる群から選ばれている、請求項２〜４のいずれかに記載の使用。
【請求項６】
前記ジオールが、プロパン-1,2-ジオール、ペンタン-1,3-ジオール、ペンタン-1,4-ジオール及びブタン-1,3-ジオールからなる群から選ばれる、請求項5記載の使用。
【請求項７】
抗生物質や抗ウイルス物質のような、抗菌性及び／または抗黴性成分からなる群から選ばれた1つ以上の成分を含む組成である、先行請求項のいずれかに記載の使用。
【請求項８】
尿、糞便、下腿潰瘍滲出液、褥瘡潰瘍、血液、月経および汗（perspiration）から得られる臭いの減少及び／または消去のための、吸収性及び／または衛生用品、及び／またはスプレー用品を製造するための、先行請求項のいずれかに記載の使用。
【請求項９】
前記用品が、使い捨ての吸収シート、空気清浄製品、おむつ、下着パッド、タンポン、包帯、圧迫包帯、マスク、空気ろ過装置、生理用ナプキン、タンポン、パンティー・シールド、失禁パッド、失禁道具、外科用包帯、絆創膏及び1つ以上の紙織物を含んでいる紙製品（ティシュペーパー、トイレットペーパー、ペーパータオル、ナプキンなど）からなる群から選ばれる、請求項8記載の使用。
【請求項１０】
尿、月経、糞便、下腿潰瘍滲出液、褥瘡潰瘍、血液および汗（perspiration）からの臭いのような哺乳動物からの臭いを減じ、及び／または除去するためのペンタン-1,5-ジオールを含む吸収製品。
【請求項１１】
少なくとももう1種のジオールを含み、前記の少なくとも１のジオールは、(CH2)nH2O2（nはCH2の数を表わす。）の一般構造を持つ、請求項1０記載の吸収製品。
【請求項１２】
nが3、4、5、6、7、8、9あるいは10のような、3〜10から選択されている、請求項１１記載の吸収製品。
【請求項１３】
前記ジオールの水酸基は、前記ジオールの異なる炭素原子に結合されている、請求項１１または１２に記載の吸収製品。
【請求項１４】
前記ジオールが、プロパン-1,2-ジオール、プロパン-1,3-ジオール、ブタン-1,2-ジオール、ブタン-1,3-ジオール、ブタン-1,4-ジオール、2-メチルプロパン-1,2-ジオール、2-メチルプロパン-1,3-ジオール、ペンタン-1,2-ジオール、ペンタン-1,3-ジオール、ペンタン-1,4-ジオール、ペンタン-2,3-ジオール、ペンタン-2,4-ジオール、2-メチル-ペンタン-2,4-ジオール、ヘキサン-1,2-ジオール、ヘキサン-1,3-ジオール、ヘキサン-1,4-ジオール、ヘキサン-1,5-ジオール、ヘキサン-1,6-ジオール、ヘキサン-2,3-ジオール、ヘキサン-2,4-ジオール、ヘキサン-2,5-ジオール、ヘキサン-3,4-ジオール、ヘプタン-1,2-ジオール、ヘプタン-1,3-ジオール、ヘプタン-1,4-ジオール、ヘプタン-1,5-ジオール、ヘプタン-1,6-ジオール、ヘプタン-1,7-ジオール、ヘプタン-2,3-ジオール、ヘプタン-2,4-ジオール、ヘプタン-2,5-ジオール、ヘプタン-2,6-ジオール、ヘプタン-3,4-ジオール、ヘプタン-3,5-ジオール、オクタン-1,2-ジオール、オクタン-1,3-ジオール、オクタン-1,4-ジオール、オクタン-1,5-ジオール、オクタン-1,6-ジオール、オクタン-1,7-ジオール、オクタン-1,8-ジオール、オクタン-2,3-ジオール、オクタン-2,4-ジオール、オクタン-2,5-ジオール、オクタン-2,6-ジオール、オクタン-2,7-ジオール、オクタン-3,4-ジオール、オクタン-3,5-ジオール、オクタン-3,6-ジオール及びオクタン-4,5-ジオールからなる群から選ばれている、請求項１１または１２に記載の吸収製品。
【請求項１５】
前記ジオールが、プロパン-1,2-ジオール、ブタン-1,3-ジオール、ペンタン-1,3-ジオール及びペンタン-1,4-ジオールからなる群から選ばれる、請求項１４記載の吸収製品。
【請求項１６】
抗生物質や抗ウイルス物質のような、抗菌性及び／または抗黴性成分からなる群から選ばれた1つ以上の成分を含む組成である、請求項１０記載の吸収製品。
【請求項１７】
前記抗菌性及び／または抗黴性成分が、ペニシリン系、セファロスポリン系、カルバセフェム系、セファマイシン系、カルバペネム系、モノバクタム系、アミノグリコシド系、グリコペプチド系、キノロン系、テトラサイクリン系、マクロライド系、フルオロキノロン系、イミダゾール系、アリルアミン系、アシクロビル及びvectavir（ペンシクロビル）からなる群から選ばれた、請求項１６記載の吸収製品。
【請求項１８】
前記吸収製品が防腐剤を含む、請求項１０記載の吸収製品。
【請求項１９】
前記防腐剤が、ヨウ素、銀、銅、クロルヘキシジン、ポリヘキサンイド、アルギナート、亜鉛若しくは酸化亜鉛と他のビグアニド、酢酸および過酸化水素からなる群から選ばれる、請求項１８記載の吸収製品。
【請求項２０】
前記吸収製品が、合成或いは半合成，若しくは天然同質の芳香供給物質を含む、請求項１０に記載の吸収製品。
【請求項２１】
前記製品が、使い捨ての吸収シート、空気清浄製品、おむつ、下着パッド、タンポン、包帯、圧迫包帯、マスク、空気ろ過装置、生理用ナプキン、タンポン、パンティー・シールド、失禁パッド、失禁道具、外科用包帯、絆創膏、及び1つ以上の紙織物を含んでいる紙製品（ティシュペーパー、トイレットペーパー、ペーパータオル、ナプキンなど）、からなる群から選ばれる、請求項１０記載の吸収製品。
【請求項２２】
下記ステップを含む、吸収製品の製造方法。
a)  吸収製品を準備すること
b)  前記吸収製品にペンタン-1,5-ジオールを含む組成を適用し、それによって尿、糞便、下腿潰瘍滲出液、褥瘡潰瘍、血液および汗（perspiration）などからの臭いのような、哺乳動物からの臭いを減じ、及び／または除去する吸収製品を得ること。
【発明の詳細な説明】
【技術分野】
【０００１】
本発明は、尿、糞便、下腿潰瘍滲出液、褥瘡潰瘍、血液および汗（perspiration）からの臭いのような哺乳動物からの臭いを減じ、及び／または除去する組成の使用に関するものである。本発明はまた、吸収性物質及び／または衛生製品に関するものでもある。
【背景技術】
【０００２】
今日、人間はナプキンやおむつといった使い捨ての製品を莫大な量で使用しており、人間の使用によるこれら製品においては、尿、糞便、下腿潰瘍滲出液、褥瘡潰瘍、血液、汗（perspiration）といった様々な体液で汚染されるようになる。そのため、その製品及び前記製品を使用する製品と人間は、匂い始めるようになる。匂い／臭いが発生した場合、前記臭いを減じ、及び／または除去する唯一の可能性は、前記使い捨ての製品を除去し廃棄することである。廃棄されるすべての使い捨ての製品は、環境への圧力を増加させる。このことは、例えば尿を吸収する使い捨ての製品を消費している人間が、周囲環境あるいは消費者自身にとってあまり好ましくない発生した臭いを除去するために、毎日数回使い捨ての製品を取り換える場合もあることを意味しうるであろう。同じことが病院のみならず老人施設に対してもいえる。もし、体液からの臭いを減じ、及び／または除去する能力を持つといった新しく改良された特性を持つ使い捨ての製品が、市場で利用可能であれば、環境のためだけでなく、人間の消費者のための改良でもあり、例えば尿や汗（perspiration）の漏出によって発生する臭いがないことで、人間の消費者は、安全に感じるであろう。さらに、使い捨ての製品をしばしば取り換える必要がないので、消費者に対するコストが抑えられるであろう。
【０００３】
したがって、人間からの液体の臭いを減じ、及び／または除去する要望を満たす新しい使い捨ての製品の必要性があり、その使い捨ての製品は、その結果、使い捨ての製品からの環境に対する圧力を減じるだけでなく、消費者のためのコストをも減じる。
【０００４】
特許文献１には、吸収性本体とその同じ物を入れるカバーを含む使い捨ての吸収性用品について記述されており、そのカバーには2-メチル-2,4-ペンタンジオールあるいはプロピレングリコールをしみ込ませてもよいことが記述されている。
【０００５】
2-メチル-2,4-ペンタンジオールまたはプロピレングリコールは、この疎水性層への吸収を高めるため、カバーに適用されている。したがって、2-メチル-2,4-ペンタンジオールまたはプロピレングリコールの、臭いを減じるための使用に関しては、何ら言及されておらず、また、第二の物質、乳酸が、臭いを減じるために、現に加えられている。実際、2-メチル-2,4-ペンタンジオールは、それ自身に強い臭いがあるので、2-メチル-2,4-ペンタンジオールは、抗臭効果を与えるという点においては、非常に満足できないものである。プロピレングリコールは、抗菌物質に対して穏やかな活性を持っており、したがって、臭いを減じる効果も穏やかなものにすぎない。
【０００６】
特許文献２には、柔軟な吸収性シート材料が開示されており、それには1,3-プロパンジオールまたは1,4-ブタンジオールのような可塑剤を含んでいてもよいことが開示されている。抗臭効果を得るためにジオールを使用することに関しては、何ら言及されてない。むしろ、言及されたジオールは、前記シートの機械的性質を変更するためだけに使用されている。実際、1,4-ブタンジオールは、ガンマ水酸基酪酸塩(GHB)に代謝し、その物質は、非常にマイナスかつ有毒な方法で人体に影響を与えるので、人体に関する高収率での使用には適さない。1,3-プロパンジオールと1,4-ブタンジオールの両方とも、炭素鎖の長さがいくぶん短いため、抗菌剤としての活性も穏やかであり、従って臭いを減じる効果も穏やかなものにすぎない。
【０００７】
特許文献３は、水混和する多価アルコールを含む話題の医薬製剤を開示する。特許文献３では、そのような多価アルコールとして、プロピレングリコール、ブタン-1,3-ジオール、ポリエチレングリコールおよびグリセリンが好適であり、プロピレングリコールが特に好適であるとされる。特許文献３では、多価アルコールが抗臭効果を提供することは開示しておらず、そのため特許文献３では、抗臭効果を得るための薬品としての好適性に関する、異なる多価アルコール間の相違も、必然的に開示していない。好適、特に好適であると言及された多価アルコールは、炭素鎖の長さがいくぶん短いため、抗菌剤としての活性も穏やかであり、従って臭いを減じる効果も穏やかなものにすぎない。
【０００８】
特許文献４は、体臭を防ぐための、1,2-ペンタンジオール、1,2-ヘキサンジオールおよび1,2-オクタンジオールのような1,2-アルカンジオールを開示する。しかしながら、これらジオールは、それ自身強い臭いを持つので、これらのジオールは、抗臭剤として使用するのにあまり適当ではない。例えば1,2-ペンタンジオールには、消費者の便宜にマイナス方向へ影響を与える芳香族の臭いがある。また1,2-ヘキサンジオール、1,2-オクタンジオールは、尿のような体液対する溶解度が小さい。また、これらのジオールは高価であり、高価な前記ジオールの使用により得られる製品を割高の状態にする。
【０００９】
抗臭剤としての使用に対する同様の組成を開示する他の文献は特許文献５及び特許文献６である。
【００１０】
故に、吸収性製品の抗臭効果を得る改善された手段は有利であり、特に、尿、糞便、下腿潰瘍滲出液、褥瘡潰瘍、血液および汗（perspiration）から臭いのような哺乳動物からの臭いを減じ、及び／または除去する方法、該方法が消費者に対して不快さかもしれない他の臭いを生成せず、該方法がコスト的に有効であり、該方法が香水のようにアレルギーを導くおそれのある他の臭いを覆い隠す物質の使用を必要とせず、及び／または該方法が、製品に同時着色を伴って生じることのない方法は有利であろう。さらにそのような方法によって得られた製品、およびそのような方法の中で使用される組成もまた有利であろう。
【先行技術文献】
【特許文献】
【００１１】
【特許文献１】WO０２／０６４１７７
【００１２】
【特許文献２】ＷＯ０３/０９２７５７
【００１３】
【特許文献３】ＥＰ００４４５４３
【００１４】
【特許文献４】ＪＰ２００３０８１８０１
【００１５】
【特許文献５】ＪＰ １９９２０３１９９３１
【００１６】
【特許文献６】ＪＰ ２００１１９０６４７
【発明の概要】
【００１７】
従って、本発明では、好ましくは、尿、糞便、下腿潰瘍滲出液、褥瘡潰瘍、血液および汗（perspiration）からの臭いのような哺乳動物からの臭いを減じ、及び／または除去するためのペンタン-1,5-ジオールを含む組成の使用と、尿、糞便、下腿潰瘍滲出液、褥瘡潰瘍、血液および汗（perspiration）からの臭いのような哺乳動物からの臭いを減じ、及び／または除去するためのペンタン-1,5-ジオールを含む吸収製品とを提供することにより、上記認識された1以上の技術上の欠陥及び単独または任意の組み合わせでの不都合を軽減し、緩和し、或いは除去することを希求し、少なくとも上記の言及された問題を解決するものである。
【００１８】
本発明によれば、前記組成を使用する人間が、人間由来の体液が通常引き起こす臭いに悩まされずにすむ。その組成は、吸収性及び／または衛生用品に溶け込ませ／適用されてもよく、その結果、前記用品の使用中に哺乳動物からの臭いを減じ、及び／または除去する。
【００１９】
本発明はまた、上記言及された1以上の吸収性及び／または衛生用品を包むパッケージにも関するものである。
【発明の詳細な説明】
【００２０】
本発明の文脈においては、下記定義が適用される：
用語「用品」および「製品」は、本願において、同じ物を意味するように意図される。
【００２１】
用語「臭い」は、人間など哺乳動物由来の体液から生じうる、あらゆる臭いを意味するように意図される。体液の例は、月経のみならず、尿、糞便、下腿潰瘍滲出液、褥瘡潰瘍、血液および汗（perspiration）のようなものである。
【００２２】
用語「吸収性製品」は、包帯または圧迫包帯のような人間の液体を吸収することができるあらゆる製品を意味するように意図される。
【００２３】
用語「衛生製品」は、尿、月経及び／または糞便を少なくとも部分的に吸収するために使用することのできるあらゆる製品を意味するように意図される。例としては、スプレー、脱臭剤、おむつおよびタンポンである。
【００２４】
臭いを減じるジオールの使用
本発明は、尿、糞便、下腿潰瘍滲出液、褥瘡潰瘍、血液、月経及び汗（perspiration）からのような哺乳動物からの臭いを減じ、及び／または除去するペンタン-1,5-ジオールを含む組成の使用に関するものである。
【００２５】
臭いを減じ、及び／または除去するための、ペンタン-1,5-ジオールの発明された使用によって、例えば消費者が臭いに悩まされず、例えば頻繁におむつを取り換える必要がなく、それ故、おむつの使用コストが減じられる、などのいくつかの問題が解消される。
【００２６】
尿、糞便、下腿潰瘍滲出液、褥瘡潰瘍、血液及び汗（perspiration）からの臭いのような哺乳動物からの臭いを減じ、及び／または除去するペンタン-1,5-ジオールの使用は、先行技術で用いられたジオールに対してもいくつかの利点を備えている。第1に、ペンタン-1,5-ジオールは無臭であり、このことは、特に抗臭効果の提供に関して、他の多くのジオールと比較して、ペンタン-1,5-ジオールに大きな利点を与える。したがって、ペンタン-1,5-ジオールが、臭いを減じ、及び／または除去するために使用される場合、その臭いを隠す必要はない。このことは、ペンタン-1,5-ジオールの使用について、ところてん式に、別の利点を生じさせる。というのは、接触する哺乳動物中のアレルギー反応をもたらすおそれのある、香水を使用する必要がないからであり、またペンタン-1,5-ジオールは、それ自体ではそのようなアレルギー反応を生じさせないからである。またペンタン-1,5-ジオールは、バクテリア及び菌類の数を殺すか減らす有効な抗菌剤である。それは他のいくつかのジオールよりも効果的である。その上、ペンタン-1,5-ジオールは、プラスチックの生産で主要な構成物質であるヘキサンジオールの製造工程中の副産物であるので、市場において、ペンタン-1,5-ジオールへの大きな接近手段がある。また、ペンタン-1,5-ジオールが無色であるので、ペンタン-1,5-ジオールの適用した後の消費者商品を着色化や脱色化する必要はない。ペンタン-1,5-ジオールは、実際、毒性及び生態毒性が低いことが証明されており、またこれらは十分確立されたものであることはという事実は、ペンタン-1,5-ジオールのさらなる別の有利な点である。
【００２７】
更に、ペンタン-1,5-ジオールは、水、汗（sweat）、尿、血液、月経、糞便、下腿潰瘍滲出液、褥瘡潰瘍および汗（perspiration）および他の体液のような極性流体の可溶性の点では、十分な溶解度を示す。これは、炭素鎖が、十分な溶解度を与えつつ、一方でまだ優れた抗臭効果を提供しうる長さを持っているためである。
【００２８】
汗（sweat）、尿、血液、月経、糞便、下腿潰瘍滲出液、褥瘡潰瘍および汗（perspiration）および他の体液のような水溶液中の溶解度および抗菌効果の両者とも、少なくとも一部は、ジオールの鎖長に依存する。短い鎖長は、ジオール優れた溶解度を与えるが、より貧弱な抗菌効果もまた与える。より長い鎖に対しても、ある程度までは逆もまた真である。そのような事情のため、体液の効果的な抗臭調整を与える観点では、これら効果は、お互いにバランスを取らねばならならい。無臭であることを除いても、ペンタン-1,5-ジオールには高い抗菌効果と十分な溶解度を持っている。
【００２９】
ペンタン-1,5-ジオール（pentane-1,5-diol）は、優れた抗臭効果の提供ついて、上記言及されたポジティブな特性があるので、他の抗臭剤がそれ自身強い臭いを持っているという欠点といった、他の抗臭剤の上記言及された欠点を緩和するために、ペンタン-1,5-ジオールと他の抗臭剤を含む組成を提供することによって、ペンタン-1,5-ジオールが使用されてもよい。したがって、本発明の別の様態では、組成が、(CH2)nH2O2の一般構造を持つ、別のジオールを少なくとも含むと規定される。なおnはCH2の数を表わす。例えばnは、3,4,5，6 ,7,8,９または10といった、３〜１０である。それ故、ジオールは、ジオール上に水酸基を持っていてもよく、それは異なる炭素原子に結合される。ジオールの例としては、プロパン-1,2-ジオール、プロパン-1,3-ジオール、ブタン-1,2-ジオール、ブタン-1,3-ジオール、ブタン-1,4-ジオール、2-メチルプロパン-1,2-ジオール、2-メチルプロパン-1,3-ジオール、ペンタン-1,2-ジオール、ペンタン-1,3-ジオール、ペンタン-1,4-ジオール、ペンタン-2,3-ジオール、ペンタン-2,4-ジオール、2-メチル-ペンタン-2,4-ジオール、ヘキサン-1,2-ジオール、ヘキサン-1,3-ジオール、ヘキサン-1,4-ジオール、ヘキサン-1,5-ジオール、ヘキサン-1,6-ジオール、ヘキサン-2,3-ジオール、ヘキサン-2,4-ジオール、ヘキサン-2,5-ジオール、ヘキサン-3,4-ジオール、ヘプタン-1,2-ジオール、ヘプタン-1,3-ジオール、ヘプタン-1,4-ジオール、ヘプタン-1,5-ジオール、ヘプタン-1,6-ジオール、ヘプタン-1,7-ジオール、ヘプタン-2,3-ジオール、ヘプタン-2,4-ジオール、ヘプタン-2,5-ジオール、ヘプタン-2,6-ジオール、ヘプタン-3,4-ジオール、ヘプタン-3,5-ジオール、オクタン-1,2-ジオール、オクタン-1,3-ジオール、オクタン-1,4-ジオール、オクタン-1,5-ジオール、オクタン-1,6-ジオール、オクタン-1,7-ジオール、オクタン-1,8-ジオール、オクタン-2,3-ジオール、オクタン-2,4-ジオール、オクタン-2,5-ジオール、オクタン-2,6-ジオール、オクタン-2,7-ジオール、オクタン-3,4-ジオール、オクタン-3,5-ジオール、オクタン-3,6-ジオール及びオクタン-4,5-ジオールである。また、2種、3種、4種あるいは5種の異なるジオールなどをペンタン-1,5-ジオールと組み合わせた、異なるジオールの混合物であってもよい。
【００３０】
本発明の更なる別の様態では、組成が、ペンタン-1,5-ジオールと、プロパン-1,2-ジオール、プロパン-1,3-ジオール、ブタン-1,3-ジオール、ペンタン-1,3-ジオールおよびペンタン-1,4-ジオールからなる群から選ばれたジオールの少なくとも1つを含むと規定される。プロパン-1,2-ジオール、プロパン-1,3-ジオール、ブタン-1,3-ジオール、ペンタン-1,3-ジオールおよびペンタン-1,4-ジオールもまた、良好な抗臭効果を持ち、またペンタン-1,2-ジオールのような強く及び／または不快な臭いを示さず、またブタン-1,4-ジオールのような有毒な代謝残留生成物をもたらさない。
【００３１】
本発明の別の様態では、組成が、ペンタン-1,5-ジオールと、プロパン-1,2-ジオール及び／またはブタン-1,3-ジオールとを含むと規定される。プロパン-1,2-ジオールとブタン-1,3-ジオールは、尿、月経、糞便、下腿潰瘍滲出液、褥瘡潰瘍、血液および汗（perspiration）に対するペンタン-1,5-ジオール以上の溶解度と、良好な抗臭効果とを持ち、その一方、それら自身は、あまり強い臭いを示さない。したがって、とペンタン-1,5-ジオールとこれらの他のジオールとの組み合わせを含む組成には、ペンタン-1,5-ジオールだけを含む組成と比較して、改善された溶解度を持ち、またプロパン-1,2-ジオール及び／またはブタン-1,3-ジオールだけを含む組成と比較して、少ない臭いと増強された抗菌力を持つ。
【００３２】
ジオールの立体化学は本発明にとって重要ではなく、また、ジオールの鏡像体、ジアステレオ異性体、互変異性体およびラセミ混合物はすべて、好結果で使用されるだろう。実際、ジオールが「異なる」という要件は、原子の接続性が相違する(位置異性：regioisomerism)の意味で理解され、それらがR/S、+/−であるかどうかではない。
【００３３】
ペンタン-1,5-ジオールまたはペンタン-1,5-ジオール及び他のジオールは、ジオールが使用される用品によって、約0.1から約99%(v/v)の量で存在してもよい。量の例としては1、10、20、30、40、50、60、70、80あるいは99%である。
【００３４】
従って、ペンタン-1,5-ジオールまたはペンタン-1,5-ジオール及び他のジオールは、抗生物質、抗真菌剤および抗ウイルス物質のような抗菌性、殺菌性、或いは抗ウイルス性の成分のような他の成分と一緒に用いてもよい。例としては、ペニシリン系、セファロスポリン系、カルバセフェム系、セファマイシン系、カルバペネム系、モノバクタム系、アミノグリコシド系、グリコペプチド系、キノロン系、テトラサイクリン系、マクロライド系、フルオロキノロン系、イミダゾール系、アリルアミン系、アシクロビル及びvectavir（ペンシクロビル）である。防腐剤に含まれる例としては、ヨウ素、銀、銅、クロルヘキシジン、ポリヘキサンイド、アルギナート、亜鉛若しくは酸化亜鉛と他のビグアニド、酢酸および過酸化水素である。ペンタン-1,5-ジオールまたはペンタン-1,5-ジオール及び他のジオールは、ジオールが使用される製品に、合成或いは半合成，若しくは天然同質の芳香を供給する他の成分といっしょに用いてもよい。例えば、様々な香水、柑橘類、りんごおよびバラである。
【００３５】
吸収性および／または衛生製品
本発明はまた、ペンタン-1,5-ジオールを含む組成を含む製品において、上記で定義された吸収性及び／または衛生製品に関するものでもある。
【００３６】
本発明の別の様態では、ペンタン-1,5-ジオール及び少なくとも他の1つのジオールを含む組成を含む製品において、上記で定義された吸収性及び／または衛生製品に関するものでもある。このジオールは、直鎖または分鎖の中の3〜8の炭素原子を含んでいてもよい。それ故、ジオールには異なる炭素原子に結合されるジオールの水酸基があってもよい。ジオールの例としては、プロパン-1,2-ジオール、プロパン-1,3-ジオール、ブタン-1,2-ジオール、ブタン-1,3-ジオール、ブタン-1,4-ジオール、2-メチルプロパン-1,2-ジオール、2-メチルプロパン-1,3-ジオール、ペンタン-1,2-ジオール、ペンタン-1,3-ジオール、ペンタン-1,4-ジオール、ペンタン-2,3-ジオール、ペンタン-2,4-ジオール、2-メチル-ペンタン-2,4-ジオール、ヘキサン-1,2-ジオール、ヘキサン-1,3-ジオール、ヘキサン-1,4-ジオール、ヘキサン-1,5-ジオール、ヘキサン-1,6-ジオール、ヘキサン-2,3-ジオール、ヘキサン-2,4-ジオール、ヘキサン-2,5-ジオール、ヘキサン-3,4-ジオール、ヘプタン-1,2-ジオール、ヘプタン-1,3-ジオール、ヘプタン-1,4-ジオール、ヘプタン-1,5-ジオール、ヘプタン-1,6-ジオール、ヘプタン-1,7-ジオール、ヘプタン-2,3-ジオール、ヘプタン-2,4-ジオール、ヘプタン-2,5-ジオール、ヘプタン-2,6-ジオール、ヘプタン-3,4-ジオール、ヘプタン-3,5-ジオール、オクタン-1,2-ジオール、オクタン-1,3-ジオール、オクタン-1,4-ジオール、オクタン-1,5-ジオール、オクタン-1,6-ジオール、オクタン-1,7-ジオール、オクタン-1,8-ジオール、オクタン-2,3-ジオール、オクタン-2,4-ジオール、オクタン-2,5-ジオール、オクタン-2,6-ジオール、オクタン-2,7-ジオール、オクタン-3,4-ジオール、オクタン-3,5-ジオール、オクタン-3,6-ジオール及びオクタン-4,5-ジオールである。また、2種、3種、4種あるいは5種の異なるジオールなどをペンタン-1,5-ジオールと組み合わせた、異なるジオールの混合物であってもよい。ジオールの立体化学は本発明にとって重要ではなく、また、ジオールの鏡像体、ジアステレオ異性体、互変異性体およびラセミ混合物はすべて、好結果で使用されるだろう。実際、ジオールが「異なる」という要件は、原子の接続性が相違する(位置異性：regioisomerism)との意味で理解され、それらがR/S、+/−であるかどうかではない。
【００３７】
ペンタン-1,5-ジオールまたはペンタン-1,5-ジオール及び他のジオールは、ジオールが使用される用品によって、約0.1から約99%(v/v)の量で存在してもよい。量の例としては1、10、20、30、40、50、60、70、80あるいは99%である。
【００３８】
従って、ペンタン-1,5-ジオールまたはペンタン-1,5-ジオール及び他のジオールは、抗生物質、抗真菌剤および抗ウイルス物質のような抗菌性、殺菌性、及び抗ウイルス性（antiviral）の成分のような他の成分といっしょに用いてもよい。例としては、ペニシリン系、セファロスポリン系、カルバセフェム系、セファマイシン系、カルバペネム系、モノバクタム系、アミノグリコシド系、グリコペプチド系、キノロン系、テトラサイクリン系、マクロライド系、フルオロキノロン系、イミダゾール系、アリルアミン系、アシクロビル及びvectavirである。防腐剤に含まれる例としては、ヨウ素、銀、銅、クロルヘキシジン、ポリヘキサンイド、アルギナート、亜鉛若しくは酸化亜鉛と他のビグアニド、酢酸および過酸化水素である。ペンタン-1,5-ジオールまたはペンタン-1,5-ジオール及び他のジオールは、ジオールが使用される製品に、天然、合成或いは半合成、若しくは天然同質の芳香を供給する他の成分といっしょに用いてもよい。例えば、柑橘類、りんご及びバラである。
【００３９】
使用上の製品が、人間または動物の液体のような哺乳類の液体からの臭いを減じ、かつ/または除去する新しい特性を提供するならば、吸収性及び／または衛生用品は任意の吸収性または衛生製品であってもよい。例としては、使い捨ての吸収シート、空気清浄製品、おむつ、下着パッド、タンポン、包帯、圧迫包帯、マスク、空気ろ過装置、生理用ナプキン、タンポン、パンティー・シールド、失禁パッド、失禁道具、外科用包帯、絆創膏及び1つ以上の紙織物を含んでいる紙製品（ティシュペーパー、トイレットペーパー、ペーパータオル、ナプキンなど）である。
【００４０】
本発明はまた、上記で定義される1以上の吸収性及び／または衛生用品を包むパッケージに関するものである。
【００４１】
本発明はまた、上記で定義される吸収性及び／または衛生用品の製造方法に関するものである。
【００４２】
次の実施例は、明示的にも黙示的にも、いずれのやり方、形、型も、発明を説明しようと意図するものであるが、発明を制限することを意図するものではない。
【実施例】
【００４３】
（実施例１）
使い捨てのナプキン上に、ペンタン-1,5-ジオール10%(v/v)及び30%(v/v)を含む活性溶液が、ナプキンの全部の領域が湿るまでスプレーされた。そのナプキンは、乾燥するまで、室温で放置された。その後、ナプキンは人間からの尿を取り除くために使用された。ナプキンによって尿を除去した後に、ナプキンから尿の匂いがしなかったことが分かり、ナプキンの消費者に好ましいものだった。対照として単独の水が使用された。水と活性溶液は同量使用された。
【００４４】
（実施例２）
女性おむつ上に、実施例１と同じ溶液が、おむつが完全にその溶液によって充満されるまでスプレーされた。そのおむつは、乾燥のため室温で放置された。そのおむつの使用によって、尿の漏出疾患を持った女性は、長時間使用後でさえ、なんら匂いも気付くことがなかった。
【００４５】
（実施例３）
実施例１と同じ方法、同じ溶液で、圧迫包帯にスプレーされた。
【００４６】
（実施例４）
実施例１と同じ方法、同じ溶液で、圧迫包帯にスプレーされた。そのような圧迫包帯は、圧迫包帯として使用でき、下腿潰瘍や褥瘡潰瘍などの潰瘍に適用できる。
【００４７】
本発明は特定の具体例に関して上記述べられたが、そのことは、ここに述べられた特定形態に制限されることを意図しない。むしろ、本発明は従属請求項によってのみ制限され、他の具体例は、上記詳細に比べて付加された請求項の範囲内で、等しく可能である。
【００４８】
請求項において、用語「含む／含むこと」は、他の要素あるいは手段の存在を除外しない。更に、個々にリストされたが、複数の手段、要素や方法ステップ個別に挙げられていても、例えば、単一ユニットやプロセッサーなどによって実施されうる。故に、たとえ個々の特徴が異なる請求項に含まれていても、これらは、有利に結合される可能性があり、異なる請求項の包含が、実現不可能で及び／または不利に働くことは示唆しない。加えて単数の言及は、複数を除外しない。用語「a」、「one」、「first」、「second」などは、複数を排除しない。請求項での引用符号は単に例示を明確にするものとして与えられ、いかなる方法でも、請求項の範囲の制限するものとして解釈されないものとする。
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
哺乳動物からの臭いを減じ、及び／または除去するための成分がペンタン-1,5-ジオールのみである活性溶液を含む吸収製品。
【請求項２】
前記ペンタン-1,5-ジオールが、前記活性溶液に対して10%（v/v）〜30%（v/v）含まれる請求項１記載の吸収製品。
【請求項３】
前記哺乳動物からの臭いが、尿、月経、糞便、下腿潰瘍滲出液、褥瘡潰瘍、血液および汗（perspiration）の群からから選ばれた臭いである、請求項１または２記載の吸収製品。
【請求項４】
前記活性溶液が、抗菌性及び／または抗黴性成分をさらに含む、請求項１または２記載の吸収製品。
【請求項５】
前記抗菌性及び／または抗黴性成分が、ペニシリン系、セファロスポリン系、カルバセフェム系、セファマイシン系、カルバペネム系、モノバクタム系、アミノグリコシド系、グリコペプチド系、キノロン系、テトラサイクリン系、マクロライド系、フルオロキノロン系、イミダゾール系、アリルアミン系、アシクロビル及びvectavir（ペンシクロビル）からなる群から選ばれた、請求項４記載の吸収製品。
【請求項６】
前記活性溶液が、さらに防腐剤を含む、請求項１または２記載の吸収製品。
【請求項７】
前記防腐剤が、ヨウ素、銀、銅、クロルヘキシジン、ポリヘキサンイド、アルギナート、亜鉛若しくは酸化亜鉛と他のビグアニド、酢酸および過酸化水素からなる群から選ばれる、請求項６記載の吸収製品。
【請求項８】
前記活性溶液が、合成或いは半合成，若しくは天然同質の芳香供給物質を含む、請求項１または２記載の吸収製品。
【請求項９】
前記吸収製品が、使い捨ての吸収シート、空気清浄製品、おむつ、下着パッド、タンポン、包帯、圧迫包帯、マスク、空気ろ過道具、生理用ナプキン、タンポン、パンティー・シールド、失禁パッド、失禁道具、外科用包帯、絆創膏及び1つ以上の紙織物を含んでいる紙製品（ティシュペーパー、トイレットペーパー、ペーパータオル、ナプキンなど）からなる群から選ばれる、請求項１または２の吸収製品。
【請求項１０】
前記吸収製品が使い捨てナプキンである、請求項１または２記載の吸収製品。
【請求項１１】
前記吸収製品が女性おむつである、請求項１または２記載の吸収製品。
【請求項１２】
前記吸収製品が圧迫包帯である、請求項１または２記載の吸収製品。